(57)【要約】【課題】本発明はイヤリングの装着状態において耳たぶ（耳垂）を含む耳介への接触領域を拡大し、装着時にイヤリングが脱落するおそれを低下させつつ、耳介への接触領域を分散させて装着時の痛みが抑制されるイヤリングの提供を目的とした。【解決手段】イヤリング１０（耳介装着具）は  耳介を挟み込むための第一面構成部２０及び第二面構成部４０と、塑性変形又は弾性変形が可能とされ、耳介装着具１０が利用者の耳介に装着された状態において利用者の耳介を外側に迂回して第一面構成部２０及び第二面構成部４０が対向するように連結する連結部６０とを有している。【選択図】  図１
2017042508.tif 000002
【特許請求の範囲】
【請求項１】
利用者の耳介に装着される耳介装着具であって、
前記耳介を挟み込むための第一面構成部及び第二面構成部と、
塑性変形又は弾性変形が可能とされ、前記耳介装着具が利用者の耳介に装着された状態において利用者の耳介を外側に迂回して前記第一面構成部及び前記第二面構成部が対向するように連結する連結部とを有し、
前記第一面構成部及び前記第二面構成部のいずれか一方又は双方が、屈曲させた線条体により輪郭が形成され、前記輪郭の内側に空白領域が形成されたものであり、
前記第一面構成部及び前記第二面構成部の間に挟持領域が構成され、
前記挟持領域に配された前記耳介を前記第一面構成部及び前記第二面構成部で挟み込むことにより装着可能であることを特徴とする耳介装着具。
【請求項２】
前記第一面構成部及び前記第二面構成部に対し、前記連結部が下方側の位置になるように前記耳介に装着されるものであり、
前記第一面構成部及び前記第二面構成部のいずれか一方又は双方をなす前記輪郭に、前記連結部側に向けて凸形状となる部分を有することを特徴とする請求項１に記載の耳介装着具。
【請求項３】
前記第一面構成部、前記第二面構成部、及び前記連結部が一連の線条体によって構成されていることを特徴とする請求項１又は２に記載の耳介装着具。
【請求項４】
前記連結部が、塑性変形可能な金属線材により構成されることを特徴とする請求項１〜３のいずれかに記載の耳介装着具。
【請求項５】
前記耳介を装飾する装飾体が、前記第一面構成部、前記第二面構成部、及び前記連結部の少なくともいずれかに装着されることを特徴とする請求項１〜４のいずれかに記載の耳介装着具。
【請求項６】
前記第一面構成部及び前記第二面構成部のいずれか一方又は双方をなす前記輪郭が、前記耳介への装着状態において不連続となる部分を有することを特徴とする請求項１〜５のいずれかに記載の耳介装着具。
【発明の詳細な説明】
【技術分野】
【０００１】
本発明は、耳たぶに孔を開ける必要がなく耳介に装着することができる耳介装着具に関する。
【背景技術】
【０００２】
近年、耳たぶ（耳垂）を装飾する装飾品として、耳たぶに孔を開けて装着するピアスの需要が増加し、様々なデザイン及び構造のものが提供されている。また、このようなピアスは、耳たぶに孔を開けずに耳介の一部を挟持して装着されるイヤリング（耳介装着具）と比較して、小振りで華奢な印象を与える。しかしながら、利用者によっては耳たぶに孔を開けることに抵抗感を感じる場合も少なくない。そのため、耳たぶに孔を開ける必要がなく、ピアスを装着しているかのような印象を与える耳介装着具が提供されている。
【０００３】
このような耳介装着具の多くは、耳たぶの表側及び裏面の双方からネジ等の部材を締めて圧接力で挟持して係止されるか、もしくは耳たぶの表側接触点と裏側接触点とを連結する連結具が弾性部材により構成され、これらが近づく方向に付勢されることで係止される。これらの耳介装着具は、２箇所の皮膚への接触点により耳たぶを挟持して係止されるため、比較的強い圧接力又は付勢力が必要となり、耳介装着具の装着後においてもこれらの圧接力又は付勢力により耳たぶに痛みが生じる原因となっていた。また、これらの耳介装着具は、いずれも点状に耳たぶに接触して耳たぶを挟持しているため、耳介装着具装着後に脱落しやすい等の問題も生じていた。
【０００４】
例えば、特許文献１のイヤリングでは、耳たぶの表側と裏側に位置する球状の装飾体を連結する弾性線材に小ループを形成して、長期間にわたってイヤリングの挟着力を保持し、イヤリングの脱落を抑制する構成が開示されている。
【先行技術文献】
【特許文献】
【０００５】
【特許文献１】実開平６−８１３１７号公報
【発明の概要】
【発明が解決しようとする課題】
【０００６】
しかしながら、特許文献１のイヤリングでは、球状の装飾体が点状に耳たぶに接触して耳たぶを挟持する構成とされている。そのため、装飾体を連結する弾性線材に歪みが生じると、表側装飾体と裏側装飾体との挟持点にズレが生じて耳たぶを効果的に挟持することが出来ず、イヤリングが脱落するおそれが高まる。また、特許文献１のイヤリングは、表側装飾体と裏側装飾体とを連結する弾性線材にさらに小ループを形成して付勢力を高めて、この強い付勢力によりイヤリングが係止される構造とされている。そのため、イヤリングを装着した状態において強い付勢力により耳たぶが圧迫され続ける。その結果、利用者の耳たぶの痛みが発生するおそれが依然として存在する。
【０００７】
そこで、本発明は耳介装着具の装着状態において耳たぶ（耳垂）を含む耳介への接触領域を拡大し、装着時に耳介装着具が脱落するおそれを低下させつつ、耳介への接触領域を分散させて装着時の痛みが抑制される耳介装着具の提供を目的とした。
【課題を解決するための手段】
【０００８】
上述した課題を解決すべく提供される本発明の耳介装着具は、利用者の耳介に装着される耳介装着具であって、前記耳介を挟み込むための第一面構成部及び第二面構成部と、塑性変形又は弾性変形が可能とされ、前記耳介装着具が利用者の耳介に装着された状態において利用者の耳介を外側に迂回して前記第一面構成部及び前記第二面構成部が対向するように連結する連結部とを有し、前記第一面構成部及び前記第二面構成部のいずれか一方又は双方が、屈曲させた線条体により輪郭が形成され、前記輪郭の内側に空白領域が形成されたものであり、前記第一面構成部及び前記第二面構成部の間に挟持領域が構成され、前記挟持領域に配された前記耳介を前記第一面構成部及び前記第二面構成部で挟み込むことにより装着可能であることを特徴とするものである。
【０００９】
本発明の耳介装着具によれば、利用者が耳介装着具を装着した状態において、利用者の耳介が表側及び裏側の双方から耳介装着具部材が面状に接触して挟持されて、耳介装着具が係止される。そのため、耳介装着具と耳介が点状で接触して係止される場合と比較して、耳介装着具の耳介に対する接触領域が拡大し、利用者の耳介から脱落しにくい。また、耳介装着具と耳介との接触領域が拡大することにより、耳介装着具が耳介を圧迫して挟持する領域が分散され、装着時の痛みが緩和される。さらに、２つの接触点により挟持する場合には連結部材の歪みに起因して接触点がずれて耳介装着具の挟持力が低下する懸念が生じるが、本発明の耳介装着具は部材が面状に接触して耳介を挟持するため、ある程度接触点のズレが生じても耳介装着具を係止することができる。
【００１０】
また、本発明の耳介装着具によれば、輪郭を構成する線条体が耳たぶの皮膚表面に接触して、輪郭と皮膚との接触部分が摩擦力により係止される。さらに、輪郭を構成する線条体により内側に押圧された皮膚が隆起した形状を形成する。これらの皮膚の隆起形状に線条体が密着した状態となり、より効果的に耳介装着具が係止されて耳介装着具の脱落を抑制することができる。外観においては、第一面構成部及び第二面構成部を構成する線条体が、耳介装着具を耳介に装着した状態において線条の形状により耳介を装飾し、重たい印象を回避してよりピアスを装着しているかのような華奢な印象とすることができる。
【００１１】
なお、上述した線条体が形成する輪郭は、種々の形状とすることができる。例えば、丸型や三角形等の単純な形状としてもよいし、ハート型や星形、花を模した輪郭形状等、輪郭形状自体を装飾として形成することができる。これにより、耳介に対して係止する機能に加えて、第一面構成部及び第二面構成部自体を装飾部として機能し得る。また、ハート型や丸型等の湾曲線により構成される形状とすれば、１つの接点が過剰に皮膚を圧迫して痛みの原因となることを回避することができる。その結果、より耳介装着具装着状態における痛みの発生を抑制することができる。
【００１２】
本発明の耳介装着具は、前記第一面構成部及び前記第二面構成部に対し、前記連結部が下方側の位置になるように前記耳介に装着されるものであり、前記第一面構成部及び前記第二面構成部のいずれか一方又は双方をなす前記輪郭に、前記連結部側に向けて凸形状となる部分を有することをとしてもよい。
【００１３】
上述の構成によれば、空白領域に形成された皮膚表面の隆起形状に対して、凸形状が引っ掛かり耳介装着具がより効果的に係止される。
【００１４】
なお、第一面構成部及び第二面構成部が構成する「面」とは、利用者の耳たぶに本発明の耳介装着具が装着された場合に、利用者の皮膚に概ね接触する程度の面を形成していることを意味している。
【００１５】
本発明の耳介装着具は、前記第一面構成部、前記第二面構成部、及び前記連結部が一連の線条体によって構成されていることとしてもよい。
【００１６】
上述の構成によれば、本発明の耳介装着具をワイヤー等加工がしやすく安価な素材を用いることができる。その結果、耳介装着具を安価に製造することができる。また、線条体により構成される形状が華奢な印象を与え、よりピアスを装着しているかのような外観とすることができる。
【００１７】
本発明の耳介装着具は、前記第一面構成部から前記連結部を経て、前記第二面構成部に至る一連の線状体によって構成されていることが望ましい。これにより、一連の線条体を１本のワイヤー等を折り曲げて加工する等、耳介装着具を安価に製造することができる。
【００１８】
上述した連結部は、塑性変形可能な金属線材により構成されることが望ましい。
【００１９】
上述の構成によれば、耳介に沿う形状に耳介装着具を塑性変形させて装着できる。そのため、耳介装着具を装着した状態において、利用者の耳介に対して過剰な付勢力を作用させる必要がない。これにより、装着状態において常に耳介が圧迫される状態から解放され、装着時における耳介の痛みを緩和することができる。
【００２０】
本発明の耳介装着具は、前記耳介を装飾する装飾体が、前記第一面構成部、前記第二面構成部、及び前記連結部の少なくともいずれかに装着されることとしてもよい。
【００２１】
上述の構成によれば、様々な宝飾品をピアス風に装飾するための装着部材としての機能を兼ねて、本発明の耳介装着具を活用し得る。
【００２２】
また、前記装飾部材は、前記線条体の端部に取り付けされているものとしてもよい。
【００２３】
上述の構成によれば、ワイヤー等線条体の端部を隠すとともに、ワイヤーの端部が利用者の耳介に接触して痛みの原因となることを回避することができる。
【００２４】
また、本発明の耳介装着具は、利用者の耳介から下方に垂れて利用者の耳介を装飾する装飾体を備えることとしてもよい。
【００２５】
上述の構成によれば、第一面構成部、第二面構成部及び連結部が、装飾体取り付け部材として機能する。また、装飾体を着脱可能とする構成とすれば、利用者が好みに応じて装飾体を取り替えることができる。このように本発明の耳介装着具は、耳介を装飾するとともに、装飾体取付部材としても好適に活用し得る。
【００２６】
本発明の耳介装着具は、前記第一面構成部及び前記第二面構成部のいずれか一方又は双方をなす前記輪郭が、不連続となる部分を有することとしてもよい。
【００２７】
上述の構成によれば、第一面構成部又は第二面構成部から貫通させて装飾体を取り付けることができる。これにより、利用者が装飾体を着脱することが可能となり、利用者が好みに応じて装飾体を取り替えることができる。
【発明の効果】
【００２８】
本発明によれば、耳介装着具の装着状態において耳たぶ（耳垂）を含む耳介への接触領域を拡大し、装着時に耳介装着具が脱落するおそれを低下させつつ、耳介への接触領域を分散させて装着時の痛みが抑制される耳介装着具を提供することができる。
【図面の簡単な説明】
【００２９】
【図１】本発明の第一実施形態に係るイヤリング（耳介装着具）を示している。（ａ）は斜視図、（ｂ）は正面図、（ｃ）は側面図、（ｄ）は背面図である。
【図２】図１のイヤリングが利用者の耳たぶに装着された場合を示している。（ａ）は全体斜視図、（ｂ）は耳たぶ周辺を拡大した図２（ａ）のＤ−Ｄ’断面図である。
【図３】（ａ）は本発明の第二実施形態に係るイヤリングの斜視図、（ｂ）は本発明の第三実施形態に係るイヤリングの斜視図である。
【発明を実施するための形態】
【００３０】
以下、本発明の第一の実施形態について、図面を参照しつつ説明する。図２（ａ）に示すように、本発明の第一の実施形態に係るイヤリング１０（耳介装着具）は、利用者の耳介Ｙに装着され、利用者の耳たぶを装飾するためのものである。イヤリング１０は、利用者の耳介Ｙのうち、利用者の所望に応じて任意の位置を装飾することができる。本実施形態においては、図２（ａ）に示すとおり、イヤリング１０は、利用者の耳たぶｙ１（耳垂）を挟持して係止されて、利用者の耳たぶｙ１を装飾した例を示している。イヤリング１０は、利用者の右耳及び左耳を装飾するために、２つのイヤリング１０を一対として使用してもよい。また、利用者の右耳あるいは左耳のいずれかを装飾するために、１つのイヤリング１０を用いて装着してもよい。
【００３１】
イヤリング１０は、図１（ａ）に示すとおり、１本のワイヤーＷ（線条体）を折り曲げて加工されて形成されている。ワイヤーＷは、いかなる素材で形成されていてもよいが、例えば、線状の真鍮を芯として、表面にエナメル加工がされたものを用いている。これにより、イヤリング１０の金属芯が利用者の耳介に直接接触しない。これにより、金属アレルギーの原因となることを抑制している。
【００３２】
また、ワイヤーＷは塑性変形可能とされている。そのため、利用者がイヤリング１０に対して力を加えて変形させると、その変形された形状を保持する。
【００３３】
続いて、イヤリング１０の形状について詳細に説明する。イヤリング１０は、図１（ａ）に示すとおり、第一面構成部２０と、第二面構成部４０と、連結部６０を備えている。第一面構成部２０と第二面構成部４０とは、相互に向かい合うよう位置し、第一面構成部２０と第二面構成部４０とは連結部６０を介して連結され、これらによりイヤリング１０が一体的に形成されている。すなわち、イヤリング１０は、第一面構成部２０から連結部６０を経て、第二面構成部４０に至る一連のワイヤーＷ（線条体）によって構成されている。
【００３４】
第一面構成部２０は、図１（ａ）及び（ｂ）に示すとおり、第一平面Ｆ１上に、ワイヤーＷが折り曲げられて「ハート型」を模した形状の第一輪郭Ｒ１を構成している。より具体的には、第一面構成部２０は、ワイヤーＷの第一面構成部２０側端部（基端）が連結部６０近傍に位置し、ワイヤーＷの基端から斜め上方に向かって延び、第一面構成部２０の外側に張り出すように湾曲する第一湾曲部２２及び第二湾曲部２４を形成する。また、第一湾曲部２２と第二湾曲部２４との間には、第一輪郭Ｒ１の内側に向けて凸形状とされた第一凸部２６（凸形状）が形成される。ワイヤーＷは、第二湾曲部２４から斜め下方に向けて延びて連結部６０側に連結される。第一輪郭Ｒ１は、イヤリング１０の装着状態において下方側となる位置に第一輪郭Ｒ１が開口した第一開口部２８を備えている。すなわち、第一輪郭Ｒ１は閉塞された輪郭ではなく、一部が開口された不連続部分を有する形状として形成されている。
【００３５】
上述のとおり、第一面構成部２０は、ワイヤーＷによりハート型を模した第一輪郭Ｒ１が第一平面Ｆ１上に形成される。また、第一輪郭Ｒ１の内側には、中空領域である第一空白領域Ａ１が形成されている。
【００３６】
第二面構成部４０は、図１（ａ）及び（ｄ）に示すとおり、第一面構成部２０と概ね同様の形状とされている。すなわち、第二面構成部４０は、第二平面Ｆ２上に「ハート型」を模した形状となるようワイヤーＷが折り曲げられて形成され、第三湾曲部４４、第四湾曲部４２、第二凸部４６及び第二開口部４８が形成されている。
【００３７】
第二面構成部４０は、図１（ａ）及び（ｄ）に示すとおり、第二平面Ｆ２上にハート型を模した第二輪郭Ｒ２を構成し、第二輪郭Ｒ２の内側には、第二空白領域Ａ２が形成されている。
【００３８】
なお、第一平面Ｆ１及び第二平面Ｆ２がなす「面」は、平面状であれば良く、ワイヤーＷ（線条体）の撓みなどの影響で多少湾曲したものであってもよい。具体的には、厚みが３．０ｍｍ程度以内の平面形状を意味している。具体的には、利用者の耳たぶにイヤリング１０が装着された場合に、利用者の皮膚に概ね接触する程度に湾曲した面を形成していることを意味している。
【００３９】
連結部６０は、第一面構成部２０と第二面構成部４０とを一体的に連結している。図１（ｃ）に示すとおり、連結部６０は、第一接続部６４、第二接続部６６及び弓状部６２を備え、これらにより「Ｕ字型」の形状を構成している。弓状部６２は、略半円形状に湾曲した形状とされている。
【００４０】
連結部６０は、利用者がイヤリング１０を装着した状態において、利用者の耳たぶｙ１外側へ迂回して位置し、第一面構成部２０と第二面構成部４０とを連結している。言いかえれば、連結部６０は利用者の耳たぶｙ１の表側から裏側にかけて耳たぶｙ１の縁に沿って湾曲しつつ第一面構成部２０と第二面構成部４０とを連結している。これにより、イヤリング１０は利用者の耳たぶｙ１に孔を開けずに装着可能とされている。
【００４１】
第一面構成部２０と第二面構成部４０とは、連結部６０により対向して位置するように連結される。図１（ａ）及び（ｃ）に示すとおり、第一面構成部２０と第二面構成部４０とが構成する領域には、利用者の耳たぶｙ１が挟持される挟持領域Ａ３が形成される。
【００４２】
イヤリング１０は、第一面構成部２０と第二面構成部４０とが利用者の耳たぶｙ１に接するよう弓状部６２を変形させることにより、利用者の耳たぶｙ１に装着される。上述のとおり、ワイヤーＷは塑性変形可能とされ、弓状部６２を変形させることにより、第一面構成部２０と第二面構成部４０との間に位置する挟持領域Ａ３の範囲を変化させる。これにより、イヤリング１０を耳たぶｙ１へ密着させて、イヤリング１０の装着を可能としている。
【００４３】
続いて、以下イヤリング１０の利用者の耳たぶｙ１への装着方法についてより詳細に説明する。図２（ａ）は、イヤリング１０が利用者の耳介Ｙのうち耳たぶｙ１に装着された状態を示している。イヤリング１０を耳たぶｙ１へ装着する場合は、耳たぶｙ１のうち比較的厚みの少ない部分を挟持領域Ａ３に差し込み、イヤリング１０を耳たぶｙ１下方までスライドさせて装着する。あるいは、第一面構成部２０と第二面構成部４０とが離反する方向にイヤリング１０が開くよう弓状部６２を変形させてから、耳たぶｙ１を挟むように第一面構成部２０及び第二面構成部４０を押圧する。これらの状態において、第一面構成部２０と第二面構成部４０とが構成する第一平面Ｆ１及び第二平面Ｆ２によって全域に亘って利用者の耳たぶｙ１が挟持されて密着し、イヤリング１０は利用者の耳たぶｙ１に対して係止され装着される。
【００４４】
なお、イヤリング１０は、耳介Ｙの所望の位置に装着することができる。イヤリング１０は、図２（ａ）に示すように耳たぶｙ１に装着してもよいし、その他耳輪ｙ２に対して装着してもよい。利用者がイヤリング１０を装着しようとする位置に応じて、第一面構成部２０及び第二面構成部４０が耳介Ｙの皮膚表面に密着するように、弓状部６２を変形させて装着することができる。また、利用者の耳たぶｙ１の厚みに応じて弓状部６２を変形させてイヤリング１０を装着することができる。
【００４５】
上述のとおり、イヤリング１０が耳たぶｙ１に装着された状態においては、第一平面Ｆ１及び第二平面Ｆ２が全域に亘って耳たぶｙ１の両側皮膚に接触する。これにより、点状に皮膚と接触して係止される場合と比較して、耳たぶｙ１皮膚に対する接触範囲が拡大する。
【００４６】
また、図２（ｂ）に示すとおり、第一輪郭Ｒ１及び第二輪郭Ｒ２が耳たぶｙ１の皮膚表面の隆起形状に密着する。より具体的には、耳たぶｙ１の表面組織が第一輪郭Ｒ１に圧迫されて弾性変形して、第一輪郭Ｒ１と接触する表面組織は窪んだ形状となる。一方、第一空白領域Ａ１に位置する耳たぶｙ１の表面組織は、周囲を第一輪郭Ｒ１に圧迫されて隆起した形状となる。これらの隆起形状に対して耳たぶｙ１の表側は第一輪郭Ｒ１が、耳たぶｙ１の裏側は第二輪郭Ｒ２が密着して、摩擦力によりイヤリング１０が係止される。
【００４７】
さらに、第一輪郭Ｒ１及び第二輪郭Ｒ２には、輪郭内側に向けた凸形状とされた第一凸部２６及び第二凸部４６が形成されている。これらの第一凸部２６及び第二凸部４６が、第一空白領域Ａ１及び第二空白領域Ａ２に形成された皮膚の隆起形状に引っ掛かり、イヤリング１０が下方へ動くことを阻止する。これにより、さらに効果的にイヤリング１０を係止することができる。
【００４８】
これらにより、イヤリング１０は利用者の耳たぶｙ１に対して密着して装着され、イヤリング１０が装着状態から脱落することを抑制している。また、イヤリング１０は、弓状部６２の形状が保持された状態において装着される。そのため、イヤリング１０の装着状態において耳たぶｙ１に対して付勢力が加えられることがなく、イヤリング１０を長時間装着した場合の痛みが抑制される。
【００４９】
また、上述のとおり、第一面構成部２０及び第二面構成部４０は、それぞれ第一湾曲部２２、第二湾曲部２４、第三湾曲部４４及び第四湾曲部４２を備えている。これらにより、第一輪郭Ｒ１及び第二輪郭Ｒ２の一部が必要以上に耳たぶｙ１の皮膚表面に食い込んで皮膚を圧迫し、痛みの原因となることを回避している。
【００５０】
図２（ａ）に示すとおり、イヤリング１０が利用者の耳たぶｙ１に装着された状態においては、弓状部６２が利用者の耳たぶｙ１の表側から裏側に亘って耳たぶｙ１側面を囲むように配される。弓状部６２は１本のワイヤーＷにより構成されているため、装着されても目立たない。これにより、イヤリング１０は装着された状態において、ピアスを装着しているかのような印象を与える。そのため、利用者の耳たぶに孔を開ける必要がなく、ピアスを装着しているかのような外観を与えることができる。
【００５１】
続いて、本発明の第二の実施形態について説明する。図３（ａ）は、本発明の第二実施形態に係るイヤリング１００を示す斜視図である。イヤリング１００は、イヤリング１０と同様に第一面構成部２０、第二面構成部４０及び連結部６０を備えている。これらの構成については、イヤリング１００とイヤリング１０とは同様とされているため、同じ符号を用いて説明を省略する。
【００５２】
イヤリング１００は、図３（ａ）に示すとおり、第一面構成部２０に装飾部材１１０を備えている。装飾部材１１０は、台座１１４がワイヤーＷの第一面構成部２０側の端部に取り付けられ、台座１１４に対してラインストーン１１２が装飾品として配置されている。装飾部材１１０は、台座１１４が溶接によりワイヤーＷの端部に固定されることにより第一面構成部２０に対して取り付けられている。イヤリング１００は、第一面構成部２０側のワイヤーＷの端部が直接利用者の皮膚と接触することを回避している。これにより、イヤリング１００装着時にワイヤーＷの端部が接触することによる痛みを抑制している。さらに、装飾部材１１０が利用者の耳たぶｙ１を装飾し、ピアスを装着しているような印象を与えて耳たぶを装飾することができる。
【００５３】
なお、本実施形態においては、装飾部材１１０をワイヤーＷの端部に設けた例を示したが、装飾部材１１０を第一湾曲部２２又は第二湾曲部２４に設けてもよいし、あるいは第一輪郭Ｒ１が形成する形状をハート型以外の形状として、適宜装飾部材１１０を設けてもよい。
【００５４】
次に、本発明の第三の実施形態について説明する。図３（ｂ）は、本発明の第三実施形態に係るイヤリング２００を示している。図３（ｂ）に示すとおり、イヤリング２００は、第一面構成部２０、第二面構成部４０、連結部６０及び装飾体２１０を備えている。
【００５５】
装飾体２１０は、丸カン２１２に２つの球状の装飾物、宝飾物２１４及び宝飾物２１６が連なって構成されている。装飾体２１０は、ワイヤーＷに丸カン２１２を貫通させて、連結部６０に位置するよう取り付けられる。
【００５６】
より具体的には、装飾体２１０は、第一輪郭Ｒ１又は第二輪郭Ｒ２の下方に位置するように設けられた第一開口部２８又は第二開口部４８から丸カン２１２を貫通させて、連結部６０に位置するよう取り付けられる。装飾体２１０は、利用者がイヤリング２００を装着した状態において、連結部６０から下方に垂れて利用者の耳たぶ下方に位置する。
【００５７】
なお、装飾体２１０は、丸カン２１２をワイヤーＷを貫通させることで着脱可能とされている。そのため、利用者は好みに応じて装飾体２１０を取り外し、あるいは他の装飾体２１０を取り付けてイヤリング２００を用いることができる。
【００５８】
以上、本発明の代表的な実施形態について説明したが、本発明の耳介装着具はこれに限定されない。
【００５９】
第一実施形態、第二実施形態及び第三実施形態においては、第一面構成部２０と第二面構成部４０とを、概ね同様の形状として輪郭が構成される例を示したが、第一面構成部と第二面構成部とを別の図形の輪郭により構成されるものとしてもよい。例えば、第一面構成部２０を「ハート型」の形状としつつ、第二面構成部を「星型」の形状として、利用者の好みにより第一面構成部又は第二面構成部が表側として装着されるものとしてもよい。これにより、より多様な形状を表側あるいは裏側として用いることができる。
【００６０】
また、第一実施形態、第二実施形態及び第三実施形態においては、第一輪郭Ｒ１及び第二輪郭Ｒ２を構成して、これらの内側に第一空白領域Ａ１及び第二空白領域Ａ２が形成されるものとした例を示したが、本発明の耳介装着具はこれに限定されない。すなわち、第一空白領域Ａ１及び第二空白領域Ａ２対してさらに模様が形成される構成としてもよい。例えば、１本のワイヤーＷにより第一輪郭Ｒ１を丸型として形成し、さらに第一輪郭Ｒ１の内側に花を模した形状が形成されるものとしてもよい。第二輪郭Ｒ２についても同様の構成としてもよいし、あるいは第一輪郭Ｒ１を表側として模様を形成しつつ第二輪郭Ｒ２は裏側として単純な丸型等の図形を形成するものとしてもよい。
【００６１】
なお、上述の実施形態においては、ワイヤーＷにより線条体が構成されるものとした例を示したが、線条体は、１枚の板状素材をプレス等によりくり抜き構成されてもよい。さらには、合成樹脂等を射出成形により成形し、線条体が形成されるものとしてもよい。
【００６２】
上述した実施形態においては、線条体として真鍮に表面加工が施され可塑性を有するワイヤーＷにより構成される例を示したが、線条体を可塑性を有しないものとしてもよい。例えば、弾性変形が可能な金属線材を用いた構成とすることも可能である。弾性変形が可能な金属線材を用いた場合、イヤリング１０の装着状態において付勢力が生じ、より強固にイヤリング１０を耳介Ｙに係止することができる。
【００６３】
また、ワイヤーは真鍮以外にも、アルミニウム、銅、ステンレス、鉄等いかなるものであってもよい。また、線条体は、これらの金属線材にコーティング等の表面処理がされたものが望ましい。これにより、金属線材が腐食により光沢が損なわれることを抑制し、装飾物としての機能が低下することを回避することができる。さらには、金属線材には、合成樹脂により表面加工されたワイヤーを用いることが望ましい。これにより、利用者がイヤリング１０を装着した際に金属アレルギーを抑制することができる。
【００６４】
本発明の耳介装着具は、特許請求の範囲に記載された本発明の技術的思想の範囲内で種々の設計変更が可能であり、それらは全て本発明に含まれるものである
【産業上の利用可能性】
【００６５】
本発明によれば、耳介装着具の装着状態において耳たぶ（耳垂）を含む耳介への接触領域を拡大し、装着時に耳介装着具が脱落するおそれを低下させつつ、耳介への接触領域を分散させて装着時の痛みが抑制される耳介装着具を提供することができる。
【符号の説明】
【００６６】
１０，１１０，２１０  イヤリング（耳介装着具）
２０                  第一面構成部
２６                  第一凸部（凸形状）
２８                  第一開口部
４０                  第二面構成部
４６                  第二凸部（凸形状）
４８                  第二開口部
６０                  連結部
１１０                装飾部材
２１０                装飾体
Ａ１                  第一空白領域
Ａ２                  第二空白領域
Ａ３                  挟持領域
Ｆ１                  第一平面
Ｆ２                  第二平面
Ｗ                    ワイヤー（線条体、金属線材）
【図１】
2017042508.tif 000003
【図２】
2017042508.tif 000004
【図３】
2017042508.tif 000005
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
利用者の耳介に装着される耳介装着具であって、
前記耳介を挟み込むための第一面構成部及び第二面構成部と、
塑性変形又は弾性変形が可能とされ、前記耳介装着具が利用者の耳介に装着された状態において利用者の耳介を外側に迂回して前記第一面構成部及び前記第二面構成部が対向するように連結する連結部とを有し、
前記第一面構成部及び前記第二面構成部のいずれか一方又は双方が、屈曲させた線条体により輪郭が形成され、前記輪郭の内側に空白領域が形成されたものであり、
前記第一面構成部及び前記第二面構成部の間に挟持領域が構成され、
前記挟持領域に配された前記耳介を前記第一面構成部及び前記第二面構成部で挟み込むことにより装着可能であり、
前記連結部が、塑性変形可能な線材により構成されるものであり、
前記挟持領域に耳介を挟むことにより、前記輪郭の内側の前記空白領域に位置する耳介の表面が、周囲を前記輪郭に圧迫されて隆起した隆起形状を形成可能であり、
前記隆起形状に接触する前記輪郭が、前記隆起形状に密着して耳介に対して係止されることを特徴とする耳介装着具。
【請求項２】
前記第一面構成部及び前記第二面構成部に対し、前記連結部が下方側の位置になるように前記耳介に装着されるものであり、
前記第一面構成部及び前記第二面構成部のいずれか一方又は双方をなす前記輪郭に、前記連結部側に向けて凸形状となる部分を有することを特徴とする請求項１に記載の耳介装着具。
【請求項３】
前記第一面構成部、前記第二面構成部、及び前記連結部が一連の線条体によって構成されていることを特徴とする請求項１又は２に記載の耳介装着具。
【請求項４】
前記連結部が、塑性変形可能な金属線材により構成されることを特徴とする請求項１〜３のいずれかに記載の耳介装着具。
【請求項５】
前記耳介を装飾する装飾体が、前記第一面構成部、前記第二面構成部、及び前記連結部の少なくともいずれかに装着されることを特徴とする請求項１〜４のいずれかに記載の耳介装着具。
【請求項６】
前記第一面構成部及び前記第二面構成部のいずれか一方又は双方をなす前記輪郭が、前記耳介への装着状態において不連続となる部分を有することを特徴とする請求項１〜５のいずれかに記載の耳介装着具。
【手続補正２】
【補正対象書類名】明細書
【補正対象項目名】０００８
【補正方法】変更
【補正の内容】
【０００８】
上述した課題を解決すべく提供される本発明の耳介装着具は、利用者の耳介に装着される耳介装着具であって、前記耳介を挟み込むための第一面構成部及び第二面構成部と、塑性変形又は弾性変形が可能とされ、前記耳介装着具が利用者の耳介に装着された状態において利用者の耳介を外側に迂回して前記第一面構成部及び前記第二面構成部が対向するように連結する連結部とを有し、前記第一面構成部及び前記第二面構成部のいずれか一方又は双方が、屈曲させた線条体により輪郭が形成され、前記輪郭の内側に空白領域が形成されたものであり、前記第一面構成部及び前記第二面構成部の間に挟持領域が構成され、前記挟持領域に配された前記耳介を前記第一面構成部及び前記第二面構成部で挟み込むことにより装着可能であり、前記連結部が、塑性変形可能な線材により構成されるものであり、前記挟持領域に耳介を挟むことにより、前記輪郭の内側の前記空白領域に位置する耳介の表面が、周囲を前記輪郭に圧迫されて隆起した隆起形状を形成可能であり、前記隆起形状に接触する前記輪郭が、前記隆起形状に密着して耳介に対して係止されることを特徴とするものである。
【手続補正３】
【補正対象書類名】明細書
【補正対象項目名】０００９
【補正方法】変更
【補正の内容】
【０００９】
本発明の耳介装着具によれば、利用者が耳介装着具を装着した状態において、利用者の耳介が表側及び裏側の双方から耳介装着具部材が面状に接触して挟持されて、耳介装着具が係止される。そのため、耳介装着具と耳介が点状で接触して係止される場合と比較して、耳介装着具の耳介に対する接触領域が拡大し、利用者の耳介から脱落しにくい。また、耳介装着具と耳介との接触領域が拡大することにより、耳介装着具が耳介を圧迫して挟持する領域が分散され、装着時の痛みが緩和される。さらに、２つの接触点により挟持する場合には連結部材の歪みに起因して接触点がずれて耳介装着具の挟持力が低下する懸念が生じるが、本発明の耳介装着具は部材が面状に接触して耳介を挟持するため、ある程度接触点のズレが生じても耳介装着具を係止することができる。また、上述の構成によれば、耳介に沿う形状に耳介装着具を塑性変形させて装着できる。そのため、耳介装着具を装着した状態において、利用者の耳介に対して過剰な付勢力を作用させる必要がない。これにより、装着状態において常に耳介が圧迫される状態から解放され、装着時における耳介の痛みを緩和することができる。